(57)【要約】【課題】複数の電子機器がネットワークを介して接続され、複数の電子機器間で個人設定情報を共有する個人設定情報共有システムにおいて、最新の個人設定情報の設定を、簡易化することにある。【解決手段】ＴＶ放送受信機３には、携帯電話機１に第１個人設定情報を送信するよう要求する通信部３５及び要求プログラム３６３ｂ１を実行したＣＰＵ３６１と、携帯電話機１から送信された携帯電話機番号に対応する第２個人設定情報を、第２個人設定情報データテーブル３６３ｂ１から抽出する抽出プログラム３６３ｂ２を実行したＣＰＵ３６１と、第２個人設定情報に含まれる設定内容が後に設定された設定内容となるように、携帯電話機１から送信された第１個人設定情報と、当該抽出された第２個人設定情報と、をマージして第２個人設定情報を更新する第２更新プログラム３６３ｂ３を実行したＣＰＵ３６１と、を備えるよう構成した。【選択図】図２
2007288340.tif 000002
【特許請求の範囲】
【請求項１】
テレビジョン放送受信機能を有する携帯電話機と、当該携帯電話機とネットワークを介して接続されたテレビジョン放送受信機と、を備え、前記携帯電話機及び前記テレビジョン放送受信機にて個人設定情報を共有する個人設定情報共有システムにおいて、
前記携帯電話機は、
個人を識別するための個人識別情報と、チャンネルの設定に関する設定内容と当該設定内容を設定した設定時間とを含む第１個人設定情報を記憶する第１記憶手段と、
前記テレビジョン放送受信機から、前記第１個人設定情報の送信要求を受信する送信要求受信手段と、
前記受信手段により前記第１個人設定情報の送信要求が受信された際に、前記第１記憶手段に記憶された個人識別情報と第１個人設定情報とを、前記テレビジョン放送受信機に送信する第１個人設定情報送信手段と、を備え、
前記テレビジョン放送受信機は、
個人を識別するための個人識別情報毎に、設定内容と当該設定内容を設定した設定時間とを含む第２個人設定情報を記憶する第２記憶手段と、
当該テレビジョン放送受信機の電源がＯＮされた際に、前記携帯電話機に前記第１個人設定情報を送信するよう要求する要求手段と、
前記第１個人設定情報送信手段により送信された個人識別情報と第１個人設定情報とを受信する第１個人設定情報受信手段と、
前記第１個人設定情報受信手段により受信された個人識別情報に対応する第２個人設定情報を、前記第２記憶手段から抽出する抽出手段と、
前記第１個人設定情報受信手段により受信された第１個人設定情報中の設定内容の設定時間と、前記抽出手段により抽出された第２個人設定情報中の設定内容の設定時間と、を比較して、後に設定された設定内容となるように、前記第１個人設定情報受信手段により受信された第１個人設定情報と、前記抽出手段により抽出された第２個人設定情報と、をマージして第２個人設定情報を更新する更新手段と、を備えることを特徴とする個人設定情報共有システム。
【請求項２】
複数の電子機器がネットワークを介して接続され、前記複数の電子機器間で個人設定情報を共有する個人設定情報共有システムにおいて、
第１電子機器は、
個人を識別するための個人識別情報毎に、設定内容と当該設定内容を設定した設定時間とを含む第１個人設定情報を記憶する第１記憶手段と、
第２電子機器から、前記第１個人設定情報の送信要求を受信する送信要求受信手段と、
前記受信手段により前記第１個人設定情報の送信要求が受信された際に、前記第１記憶手段に記憶された個人識別情報と第１個人設定情報とを、前記第２電子機器に送信する第１個人設定情報送信手段と、を備え、
前記第２電子機器は、
個人を識別するための個人識別情報毎に、設定内容と当該設定内容を設定した設定時間とを含む第２個人設定情報を記憶する第２記憶手段と、
前記第１電子機器に前記第１個人設定情報を送信するよう要求する要求手段と、
前記第１個人設定情報送信手段により送信された個人識別情報と第１個人設定情報とを受信する第１個人設定情報受信手段と、
前記第１個人設定情報受信手段により受信された個人識別情報に対応する第２個人設定情報を、前記第２記憶手段から抽出する抽出手段と、
前記第１個人設定情報受信手段により受信された第１個人設定情報中の設定内容の設定時間と、前記抽出手段により抽出された第２個人設定情報中の設定内容の設定時間と、を比較して、後に設定された設定内容となるように、前記第１個人設定情報受信手段により受信された第１個人設定情報と、前記抽出手段により抽出された第２個人設定情報と、をマージして第２個人設定情報を更新する更新手段と、
を備えることを特徴とする個人設定情報共有システム。
【請求項３】
請求項２に記載の個人設定情報共有システムにおいて、
前記要求手段は、前記第２電子機器の電源がＯＮされた際に、前記第１電子機器に前記第１個人設定情報を送信するよう要求することを特徴とする個人設定情報共有システム。
【請求項４】
請求項２又は３に記載の個人設定情報共有システムにおいて、
前記第１電子機器及び前記第２電子機器は、テレビジョン放送受信機能を有し、
前記第１個人設定情報及び前記第２個人設定情報に含まれる設定内容は、チャンネルの設定に関する内容を含むことを特徴とする個人設定情報共有システム。
【発明の詳細な説明】
【技術分野】
【０００１】
本発明は、個人設定情報共有システムに関する。
【背景技術】
【０００２】
従来、複数の電子機器に同一の設定情報を設定、変更、削除など（以下、「設定等」という。）する場合、例えば、ネットワークを介して同時に複数の電子機器に設定等することができる管理装置が提案された（例えば、特許文献１及び２参照。）。
また、ネットワーク及び管理装置に関しては、定期的にネットワークの運営管理にかかる情報を監視し、常に正常な通信状態を維持することができる管理装置（例えば、特許文献３参照。）や、複数のネットワークが双方向で通信可能な複合ネットワーク環境において、当該ネットワークを管理して、当該ネットワーク上の電子機器を制御することができる管理装置（例えば、特許文献４参照。）なども提案されている。
【特許文献１】特開２００５−０９９９４９号公報
【特許文献２】特開２０００−１９４６３０号公報
【特許文献３】特開２００５−２３４９６３号公報
【特許文献４】特開２００５−２０９１４５号公報
【発明の開示】
【発明が解決しようとする課題】
【０００３】
ところで、例えば、複数の電子機器のうちの、一の電子機器が携帯型電子機器（例えば、携帯電話機等）であり、他の電子機器が据置型電子機器（例えば、テレビジョン放送受信機等）である場合であって、当該携帯型電子機器と当該据置型電子機器とが同一の機能（例えば、テレビジョン放送受信機能等）を有する場合に、例えば、当該携帯型電子機器と当該据置型電子機器の所有者が、在宅時に据置型電子機器に設定情報ａを設定し、その後外出して、その外出先で、携帯型電子機器に設定された設定情報ａを設定情報ｂに変更したとする。このとき、直近に設定した設定情報ｂが、所有者所望の設定情報であるといえるが、携帯型電子機器に設定した設定情報ｂを据置型電子機器に設定したい場合には、所有者は、改めて、設定情報ｂを据置型電子機器に設定する必要があり、面倒であるという問題がある。
【０００４】
特許文献１及び２では、設定情報が複数の電子機器に同時に設定等されるので、例えば、設定情報を設定等した際に、ネットワークに接続していなかった電子機器には当該設定情報を設定等することができない。したがって、この場合は、当該ネットワークに接続していなかった電子機器には、改めて、当該設定情報を設定等する必要がある。また、特許文献３及び４では、そもそも設定情報の共有化については何ら記載されていないので、上記問題を解決できない。
【０００５】
本発明の課題は、複数の電子機器がネットワークを介して接続され、複数の電子機器間で個人設定情報を共有する個人設定情報共有システムにおいて、最新の個人設定情報の設定を、簡易化することにある。
【課題を解決するための手段】
【０００６】
上記課題を解決するために、請求項１に記載の発明は、
テレビジョン放送受信機能を有する携帯電話機と、当該携帯電話機とネットワークを介して接続されたテレビジョン放送受信機と、を備え、前記携帯電話機及び前記テレビジョン放送受信機にて個人設定情報を共有する個人設定情報共有システムにおいて、
前記携帯電話機は、
個人を識別するための個人識別情報と、チャンネルの設定に関する設定内容と当該設定内容を設定した設定時間とを含む第１個人設定情報を記憶する第１記憶手段と、
前記テレビジョン放送受信機から、前記第１個人設定情報の送信要求を受信する送信要求受信手段と、
前記受信手段により前記第１個人設定情報の送信要求が受信された際に、前記第１記憶手段に記憶された個人識別情報と第１個人設定情報とを、前記テレビジョン放送受信機に送信する第１個人設定情報送信手段と、を備え、
前記テレビジョン放送受信機は、
個人を識別するための個人識別情報毎に、設定内容と当該設定内容を設定した設定時間とを含む第２個人設定情報を記憶する第２記憶手段と、
当該テレビジョン放送受信機の電源がＯＮされた際に、前記携帯電話機に前記第１個人設定情報を送信するよう要求する要求手段と、
前記第１個人設定情報送信手段により送信された個人識別情報と第１個人設定情報とを受信する第１個人設定情報受信手段と、
前記第１個人設定情報受信手段により受信された個人識別情報に対応する第２個人設定情報を、前記第２記憶手段から抽出する抽出手段と、
前記第１個人設定情報受信手段により受信された第１個人設定情報中の設定内容の設定時間と、前記抽出手段により抽出された第２個人設定情報中の設定内容の設定時間と、を比較して、後に設定された設定内容となるように、前記第１個人設定情報受信手段により受信された第１個人設定情報と、前記抽出手段により抽出された第２個人設定情報と、をマージして第２個人設定情報を更新する更新手段と、を備えることを特徴とする。
【０００７】
請求項２に記載の発明は、
複数の電子機器がネットワークを介して接続さ、前記複数の電子機器間で個人設定情報を共有する個人設定情報共有システムにおいて、
第１電子機器は、
個人を識別するための個人識別情報毎に、設定内容と当該設定内容を設定した設定時間とを含む第１個人設定情報を記憶する第１記憶手段と、
第２電子機器から、前記第１個人設定情報の送信要求を受信する送信要求受信手段と、
前記受信手段により前記第１個人設定情報の送信要求が受信された際に、前記第１記憶手段に記憶された個人識別情報と第１個人設定情報とを、前記第２電子機器に送信する第１個人設定情報送信手段と、を備え、
前記第２電子機器は、
個人を識別するための個人識別情報毎に、設定内容と当該設定内容を設定した設定時間とを含む第２個人設定情報を記憶する第２記憶手段と、
前記第１電子機器に前記第１個人設定情報を送信するよう要求する要求手段と、
前記第１個人設定情報送信手段により送信された個人識別情報と第１個人設定情報とを受信する第１個人設定情報受信手段と、
前記第１個人設定情報受信手段により受信された個人識別情報に対応する第２個人設定情報を、前記第２記憶手段から抽出する抽出手段と、
前記第１個人設定情報受信手段により受信された第１個人設定情報中の設定内容の設定時間と、前記抽出手段により抽出された第２個人設定情報中の設定内容の設定時間と、を比較して、後に設定された設定内容となるように、前記第１個人設定情報受信手段により受信された第１個人設定情報と、前記抽出手段により抽出された第２個人設定情報と、をマージして第２個人設定情報を更新する更新手段と、
を備えることを特徴とする。
【０００８】
請求項３に記載の発明は、
請求項２に記載の個人設定情報共有システムにおいて、
前記要求手段は、前記第２電子機器の電源がＯＮされた際に、前記第１電子機器に前記第１個人設定情報を送信するよう要求することを特徴とする。
【０００９】
請求項４に記載の発明は、
請求項２又は３に記載の個人設定情報共有システムにおいて、
前記第１電子機器及び前記第２電子機器は、テレビジョン放送受信機能を有し、
前記第１個人設定情報及び前記第２個人設定情報に含まれる設定内容は、チャンネルの設定に関する内容を含むことを特徴とする。
【発明の効果】
【００１０】
請求項１に記載の発明によれば、更新手段によって、第１個人設定情報受信手段により受信された第１個人設定情報中の設定内容の設定時間と、抽出手段により抽出された第２個人設定情報中の設定内容の設定時間と、を比較して、後に設定された設定内容となるように、第１個人設定情報受信手段により受信された第１個人設定情報と、抽出手段により抽出された第２個人設定情報と、をマージして第２個人設定情報を更新することができる。
すなわち、テレビジョン放送受信機は、携帯電話機から送信された第１個人設定情報と、テレビジョン放送受信機に設定された第２個人設定情報と、に基づいて、最新の個人設定情報を設定することができるため、最新の個人設定情報の設定を、簡易化することができる。
【００１１】
また、要求手段によって、テレビジョン放送受信機の電源がＯＮされた際に、携帯電話機に第１個人設定情報を送信するよう要求することができる。
すなわち、テレビジョン放送受信機の電源がＯＮされると、自動的に、テレビジョン放送受信機に最新の個人設定情報が設定されるため、最新の個人設定情報の設定を、より簡易化することができる。
また、例えば、不意にテレビジョン放送受信機の電源がＯＦＦし、その後、復旧してテレビジョン放送受信機の電源がＯＮされると、自動的に、テレビジョン放送受信機に最新の個人設定情報が設定されるため、利便性が高い。
【００１２】
また、第１個人設定情報及び第２個人設定情報に含まれる設定内容は、チャンネルの設定に関する内容を含むため、携帯電話機とテレビジョン放送受信機との間で当該チャンネルの設定に関する内容を共有できることとなって、使い勝手がよい。
【００１３】
請求項２に記載の発明によれば、更新手段によって、第１個人設定情報受信手段により受信された第１個人設定情報中の設定内容の設定時間と、抽出手段により抽出された第２個人設定情報中の設定内容の設定時間と、を比較して、後に設定された設定内容となるように、第１個人設定情報受信手段により受信された第１個人設定情報と、抽出手段により抽出された第２個人設定情報と、をマージして第２個人設定情報を更新することができる。
すなわち、第２電子機器は、第１電子機器から送信された第１個人設定情報と、第２電子機器に設定された第２個人設定情報と、に基づいて、最新の個人設定情報を設定することができるため、最新の個人設定情報の設定を、簡易化することができる。
【００１４】
請求項３に記載の発明によれば、請求項２に記載の発明と同様の効果が得られることは無論のこと、要求手段は、第２電子機器の電源がＯＮされた際に、第１電子機器に第１個人設定情報を送信するよう要求することができる。
すなわち、第２電子機器の電源がＯＮされると、自動的に、第２電子機器に最新の個人設定情報が設定されるため、最新の個人設定情報を、より簡易に設定することができる。
また、例えば、不意に第２電子機器の電源がＯＦＦし、その後、復旧して第２電子機器の電源がＯＮされると、自動的に、第２電子機器に最新の個人設定情報が設定されるため、利便性が高い。
【００１５】
請求項４に記載の発明は、請求項２又は３に記載の発明と同様の効果が得られることは無論のこと、第１電子機器及び第２電子機器は、テレビジョン放送受信機能を有し、第１個人設定情報及び第２個人設定情報に含まれる設定内容は、チャンネルの設定に関する内容を含むため、複数の電子機器間で当該チャンネルの設定に関する内容を共有できることとなって、使い勝手がよい。
【発明を実施するための最良の形態】
【００１６】
以下、図を参照して、本発明にかかる個人設定情報共有システムの最良の形態を詳細に説明する。なお、発明の範囲は、図示例に限定されない。
本実施の形態では、第１電子機器として携帯電話機を例示して、第２電子機器としてテレビジョン放送（以下、「ＴＶ放送」という。）受信機を例示して、説明することとする。
【００１７】
＜個人設定情報共有システムの構成＞
まず、個人設定情報共有システムＳの構成について、図１及び２を参照して説明する。
個人設定情報共有システムＳは、例えば、ＴＶ放送受信機能を有する携帯電話機１と、携帯電話機１とネットワークＮを介して接続されたＴＶ放送受信機３と、を備え、携帯電話機１及びＴＶ放送受信機３にて個人設定情報を共有する。
【００１８】
携帯電話機１は、例えば、家ｈの住人（ユーザ）が所有する携帯電話機である。
ＴＶ放送受信機３，…は、例えば、出力装置４と一体的に、或いは、出力装置４と別体として、家ｈに設置されている。
【００１９】
ネットワークＮは、例えば、Bluetooth規格やIEEE（Institute of Electrical and Electronic Engineers）802.11規格に準じた無線ＬＡＮ（Local Area Network）などのネットワークである。
なお、ネットワークＮは、有線ネットワークであってもよい。
【００２０】
（携帯電話機の構成）
携帯電話機１は、例えば、図２に示すように、アンテナ１１１を有するチューナ１１と、分離器１２と、音声デコーダ１３ａと、映像デコーダ１３ｂと、操作部１４と、通信部１５と、制御部１６と、などを備えて構成される。各部は、バス１０によって接続されている。
また、携帯電話機１は、例えば、音声デコーダ１３ａと接続する音声出力部１７ａと、映像デコーダ１３ｂと接続する映像表示部１７ｂと、なども備えている。
【００２１】
アンテナ１１１を有するチューナ１１は、例えば、制御部１６から入力される制御信号に従って、アンテナ１１１により受信されたＴＶ放送信号の中から、ユーザ所望の放送番組のチャンネルに対応する周波数帯域に存在するＴＶ放送信号を受信する。そして、当該ＴＶ放送信号を中間周波信号（ＩＦ信号）に変調して、当該ＩＦ信号を分離器１２に出力する。
ここで、アンテナ１１１は、例えば、地上波放送用のアンテナである。
【００２２】
分離器１２は、例えば、制御部１６から入力される制御信号に従って、アンテナ１１１を有するチューナ１１から出力されたＩＦ信号に対して、デジタル復調や誤り訂正などの処理を施し、ストリーム（例えば、トランスポートストリーム）を解読して、当該トランスポートストリームを構成する各トランスポートパケットを判別し、ユーザ所望の放送番組に関連するトランスポートパケットにかかるデータを、圧縮音声データと、圧縮映像データと、などに分離する。そして、当該圧縮音声データを音声デコーダ１３ａに出力するとともに、当該圧縮映像データを映像デコーダ１３ｂに出力する。
【００２３】
音声デコーダ１３ａは、例えば、制御部１６から入力される制御信号に従って、分離器１２から出力された圧縮音声データをデコードして、音声データを音声出力部１７ａに出力する。
【００２４】
音声出力部１７ａは、例えば、図示しないスピーカ等を備え、音声デコーダ１３ａから出力された音声データに基づいて音声の出力を行う。
【００２５】
映像デコーダ１３ｂは、例えば、制御部１６から入力される制御信号に従って、分離器１２から出力された圧縮映像データをデコードして、映像データを映像表示部１７ｂに出力する。
【００２６】
映像表示部１７ｂは、例えば、図示しない液晶方式等の表示画面を備え、映像デコーダ１３ｂから出力された映像データに基づいて映像の出力を行う。
【００２７】
操作部１４は、例えば、携帯電話機１の外面に備えられた操作ボタン（図示省略）等から構成されており、例えば、ユーザにより操作されて、当該操作に伴う各種信号を制御部１６に出力する。
具体的には、操作部１４は、例えば、ユーザが、設定内容（後述）等を指定する際に使用される。
【００２８】
通信部１５は、例えば、ＴＶ放送受信機３との間で無線信号の送受信を行うためのアンテナ（図示省略）や、ＲＦ（Radio Frequency）変換器（図示省略）、Bluetooth規格やIEEE802.11規格に準じた無線ＬＡＮに接続するための無線ＬＡＮカード（図示省略）などを備えており、ネットワークＮを介して、ＴＶ放送受信機３との間で各種情報の送受信を行う。
具体的には、通信部１５は、例えば、送信要求受信手段として、ＴＶ放送受信機３から、第１個人設定情報（後述）の送信要求を受信する。
【００２９】
制御部１６は、例えば、ＣＰＵ（Central Processing Unit）１６１、ＲＡＭ（Random Access Memory）１６２、ＲＯＭ（Read Only Memory）１６３などを備えている。
【００３０】
ＣＰＵ１６１は、ＲＯＭ１６３に記憶された携帯電話機１用の各種処理プログラムに従って各種の制御動作を行う。
【００３１】
ＲＡＭ１６２は、ＣＰＵ１６１によって実行される処理プログラムなどを展開するためのプログラム格納領域や、入力データや上記処理プログラムが実行される際に生じる処理結果などを格納するデータ格納領域などを備える。
【００３２】
ＲＯＭ１６３は、携帯電話機１で実行可能なシステムプログラム、当該システムプログラムで実行可能な各種処理プログラム、これら各種処理プログラムを実行する際に使用されるデータ、ＣＰＵ１６１によって演算処理された処理結果のデータなどを記憶する。なお、プログラムは、コンピュータが読み取り可能なプログラムコードの形でＲＯＭ１６３に記憶されている。
具体的には、ＲＯＭ１６３は、例えば、第１個人設定情報データテーブル１６３ａ１と、送信制御プログラム１６３ｂ１と、第１更新プログラム１６３ｂ２と、などを記憶している。
【００３３】
第１個人設定情報データテーブル１６３ａ１は、例えば、第１記憶手段として、個人を識別するための個人識別情報としての携帯電話機番号と、設定内容と当該設定内容を設定した設定時間とを含む第１個人設定情報を記憶する。
具体的には、第１個人設定情報データテーブル１６３ａ１は、例えば、図３に示すように、「携帯電話機番号」記憶領域１６３ａ１１と、「第１個人設定情報」記憶領域１６３ａ１２と、などを有している。
【００３４】
「携帯電話機番号」記憶領域１６３ａ１１は、例えば、携帯電話機１の携帯電話機番号を記憶する。
【００３５】
「第１個人設定情報」記憶領域１６３ａ１２は、例えば、図３に示すように、「設定内容」記憶領域１６３ａ１２１と、「設定時間」記憶領域１６３ａ１２２と、などを有している。
【００３６】
「設定内容」記憶領域１６３ａ１２１は、例えば、チャンネル毎に、お好みチャンネルの登録やお好みチャンネルの削除などの、チャンネルの設定に関する設定内容を記憶する。
「設定時間」記憶領域１６３ａ１２２は、例えば、対応する設定内容を設定した設定時間を記憶する。
具体的には、図３に示す第１個人設定情報データテーブル１６３ａ１は、例えば、2006年4月1日12:50に、地上波放送における４ｃｈがお好みチャンネルから削除され、2006年4月1日13:00に、地上波放送における５ｃｈがお好みチャンネルとして登録されたことを記憶している。
ここで、お好みチャンネルとは、選局可能なチャンネルからユーザが任意に設定したチャンネル群のことをいい、お好みチャンネルを用いてチャンネル選局することにより、ユーザ所望のチャンネルの選局を容易に行うことができる。
【００３７】
送信制御プログラム１６３ｂ１は、例えば、通信部１５によりＴＶ放送受信機３から送信された第１個人設定情報の送信要求が受信された際に、第１個人設定情報データテーブル１６３ａ１に記憶された携帯電話機番号と第１個人設定情報とを、通信部１５を介してＴＶ放送受信機３に送信する機能を、ＣＰＵ１６１に実現させる。
ここで、第１個人設定情報送信手段は、例えば、通信部１５と、送信制御プログラム１６３ｂ１を実行したＣＰＵ１６１と、により構成される。
【００３８】
第１更新プログラム１６３ｂ２は、例えば、ユーザによる操作部１４の操作によって、設定内容が指定されると、第１個人設定情報に含まれる設定内容が当該指定された設定内容となるように、第１個人設定情報を更新する機能を、ＣＰＵ１６１に実現させる。
【００３９】
（ＴＶ放送受信機の構成）
ＴＶ放送受信機３は、例えば、図２に示すように、アンテナ３１１を有するチューナ３１と、分離器３２と、音声デコーダ３３ａと、映像デコーダ３３ｂと、操作部３４と、通信部３５と、制御部３６と、などを備えて構成される。各部は、バス３０によって接続されている。
また、ＴＶ放送受信機３は、例えば、音声デコーダ３３ａや映像デコーダ３３ｂを介して、別体（或いは、一体）である出力装置４と接続している。
出力装置４は、例えば、音声デコーダ３３ａと接続する音声出力部４１ａと、映像デコーダ３３ｂと接続する映像表示部４１ｂと、などを備えている。
【００４０】
アンテナ３１１を有するチューナ３１は、例えば、制御部３６から入力される制御信号に従って、アンテナ３１１により受信されたＴＶ放送信号の中から、ユーザ所望の放送番組のチャンネルに対応する周波数帯域に存在するＴＶ放送信号を受信する。そして、当該ＴＶ放送信号を中間周波信号（ＩＦ信号）に変調して、当該ＩＦ信号を分離器３２に出力する。
ここで、アンテナ３１１は、例えば、地上波放送用のアンテナ３１１ａと、衛星放送用のアンテナ３１１ｂと、などを備えている。
【００４１】
分離器３２は、例えば、制御部３６から入力される制御信号に従って、アンテナ３１１を有するチューナ３１から出力されたＩＦ信号に対して、デジタル復調や誤り訂正などの処理を施し、ストリーム（例えば、トランスポートストリーム）を解読して、当該トランスポートストリームを構成する各トランスポートパケットを判別し、ユーザ所望の放送番組に関連するトランスポートパケットにかかるデータを、圧縮音声データと、圧縮映像データと、などに分離する。そして、当該圧縮音声データを音声デコーダ３３ａに出力するとともに、当該圧縮映像データを映像デコーダ３３ｂに出力する。
【００４２】
音声デコーダ３３ａは、例えば、制御部３６から入力される制御信号に従って、分離器３２から出力された圧縮音声データをデコードして、音声データを出力装置４の音声出力部４１ａに出力する。
【００４３】
出力装置４の音声出力部４１ａは、例えば、図示しないスピーカ等を備え、音声デコーダ３３ａから出力された音声データに基づいて音声の出力を行う。
【００４４】
映像デコーダ３３ｂは、例えば、制御部３６から入力される制御信号に従って、分離器３２から出力された圧縮映像データをデコードして、映像データを出力装置４の映像表示部４１ｂに出力する。
【００４５】
出力装置４の映像表示部４１ｂは、例えば、図示しない液晶方式等の表示画面を備え、映像デコーダ３３ｂから出力された映像データに基づいて映像の出力を行う。
【００４６】
操作部３４は、例えば、ＴＶ放送受信機３の外面に備えられた操作ボタン（図示省略）や、ＴＶ放送受信機３用のリモートコントローラ（図示省略）と通信可能なリモコン受信部（図示省略）などから構成されており、例えば、ユーザにより操作されて、当該操作に伴う各種信号を制御部３６に出力する。
具体的には、操作部３４は、例えば、ユーザが、設定内容等を指定する際に使用される。
【００４７】
通信部３５は、例えば、携帯電話機１との間で無線信号の送受信を行うためのアンテナ（図示省略）や、ＲＦ（Radio Frequency）変換器（図示省略）、Bluetooth規格やIEEE802.11規格に準じた無線ＬＡＮに接続するための無線ＬＡＮカード（図示省略）などを備えており、ネットワークＮを介して、携帯電話機１との間で各種情報の送受信を行う。
具体的には、通信部３５は、例えば、第１個人設定情報受信手段として、携帯電話機１により送信された携帯電話機番号と第１個人設定情報とを受信する。
【００４８】
制御部３６は、例えば、ＣＰＵ３６１、ＲＡＭ３６２、ＲＯＭ３６３などを備えている。
【００４９】
ＣＰＵ３６１は、ＲＯＭ３６３に記憶されたＴＶ放送受信機３用の各種処理プログラムに従って各種の制御動作を行う。
【００５０】
ＲＡＭ３６２は、ＣＰＵ３６１によって実行される処理プログラムなどを展開するためのプログラム格納領域や、入力データや上記処理プログラムが実行される際に生じる処理結果などを格納するデータ格納領域などを備える。
【００５１】
ＲＯＭ３６３は、ＴＶ放送受信３で実行可能なシステムプログラム、当該システムプログラムで実行可能な各種処理プログラム、これら各種処理プログラムを実行する際に使用されるデータ、ＣＰＵ３６１によって演算処理された処理結果のデータなどを記憶する。なお、プログラムは、コンピュータが読み取り可能なプログラムコードの形でＲＯＭ３６３に記憶されている。
具体的には、ＲＯＭ３６３は、例えば、第２個人設定情報データテーブル３６３ａ１と、要求プログラム３６３ｂ１と、抽出プログラム３６３ｂ２と、第２更新プログラム３６３ｂ３と、などを記憶している。
【００５２】
第２個人設定情報データテーブル３６３ａ１は、例えば、第２記憶手段として、個人を識別するための携帯電話機番号毎に、設定内容と当該設定内容を設定した設定時間とを含む第２個人設定情報を記憶する。
具体的には、第２個人設定情報データテーブル３６３ａ１は、例えば、図４に示すように、「携帯電話機番号」記憶領域３６３ａ１１と、「第２個人設定情報」記憶領域３６３ａ１２と、などを有している。
【００５３】
「携帯電話機番号」記憶領域３６３ａ１１は、例えば、ＴＶ放送受信機３のユーザが所有する携帯電話機１の携帯電話機番号を記憶する。
【００５４】
「第２個人設定情報」記憶領域３６３ａ１２は、例えば、図４に示すように、「設定内容」記憶領域３６３ａ１２１と、「設定時間」記憶領域３６３ａ１２２と、などを有している。
【００５５】
要求プログラム３６３ｂ１は、例えば、ＴＶ放送受信機３の電源がＯＮされた際に、通信部３５を介して、携帯電話機１に第１個人設定情報を送信するよう要求する機能を、ＣＰＵ３６１に実現させる。
ここで、要求手段は、通信部３５と、要求プログラム３６３ｂ１を実行したＣＰＵ３６１と、により構成される。
【００５６】
抽出プログラム３６３ｂ２は、例えば、通信部３５により受信された携帯電話機番号に対応する第２個人設定情報を、第２個人設定情報データテーブル３６３ａ１から抽出する機能を、ＣＰＵ３６１に実現させる。
ＣＰＵ３６１は、かかる抽出プログラム３６３ｂ２を実行することによって、抽出手段として機能する。
【００５７】
第２更新プログラム３６３ｂ３は、例えば、ユーザによる操作部３４の操作によって、設定内容が指定されると、第２個人設定情報に含まれる設定内容が当該指定された設定内容となるように、第２個人設定情報を更新する機能を、ＣＰＵ３６１に実現させる。
【００５８】
また、第２更新プログラム３６３ｂ３は、例えば、通信部３５により受信された第１個人設定情報中の設定内容の設定時間と、抽出プログラム３６３ｂ２を実行したＣＰＵ３６１により抽出された第２個人設定情報中の設定内容の設定時間と、を比較して、第２個人設定情報に含まれる設定内容が後に設定された設定内容（すなわち、最新の設定内容）となるように、通信部３５により受信された第１個人設定情報と、抽出プログラム３６３ｂ２を実行したＣＰＵ３６１により抽出された第２個人設定情報と、をマージして第２個人設定情報を更新する機能を、ＣＰＵ３６１に実現させる。
具体的には、例えば、通信部３５により、携帯電話機番号「090-****-***2」の携帯電話機１から送信された第１個人設定情報（図３参照）が受信され、抽出プログラム３６３ｂ２を実行したＣＰＵ３６１により、第２個人設定情報データテーブル３６３ａ１から携帯電話機番号「090-****-***2」に対応する第２個人設定情報（図４参照）が抽出されると、ＣＰＵ３６１は、例えば、第１個人設定情報中の設定内容の設定時間と、第２個人設定情報中の設定内容の設定時間と、を比較する。そして、例えば、設定内容「地上波放送  ４ｃｈ」に対応する最新の設定時間が第１個人設定情報中の設定時間「2006/04/01/12:50」であるので、ＣＰＵ３６１は、第２個人設定情報に含まれる設定内容「地上波放送  ４ｃｈ：お好みチャンネルの登録」を、最新の設定内容である第１個人設定情報に含まれる設定内容「地上波放送  ４ｃｈ：お好みチャンネルの削除」に変更して、第２個人設定情報を更新する。また、例えば、第１個人設定情報に含まれる設定内容「地上波放送  ５ｃｈ：お好みチャンネルの登録」が、第２個人設定情報が含まれていないため、ＣＰＵ３６１は、第２個人設定情報に含まれる設定内容に、未設定の設定内容である第１個人設定情報に含まれる設定内容「地上波放送  ５ｃｈ：お好みチャンネルの登録」を追加して、第２個人設定情報を更新する。そして、ＣＰＵ３６１は、当該設定内容を、例えば、図５に示すように、第２個人設定情報データテーブル３６３ａ１に記憶させる。
すなわち、現段階で、ＴＶ放送受信機３には、例えば、設定内容「衛星放送  ３ｃｈ：お好みチャンネルの登録」と、設定内容「地上波放送  ４ｃｈ：お好みチャンネルの削除」と、設定内容「地上波放送  ５ｃｈ：お好みチャンネルの登録」と、が設定されていることになる。
ＣＰＵ３６１は、かかる第２更新プログラム３６３ｂ３を実行することによって、更新手段として機能する。
【００５９】
＜個人設定情報共有処理＞
次に、個人設定情報共有システムＳによる個人設定情報の共有に関する処理について、図６のフローチャートを参照して説明する。
【００６０】
ＴＶ放送受信機３の電源がＯＮされると（ステップＳ１）、ＴＶ放送受信機３のＣＰＵ３６１は、要求プログラム３６３ｂ１を実行して、第１個人設定情報の送信要求を、通信部３５を介して、通信可能な位置に配置された携帯電話機１に送信する（ステップＳ２）。
【００６１】
ステップＳ２で送信された第１個人設定情報の送信要求を、携帯電話機１の通信部１５が受信すると（ステップＳ３）、携帯電話機１のＣＰＵ１６１は、例えば、送信制御プログラム１６３ｂ１を実行して、第１個人設定情報データテーブル１６３ａ１に記憶された携帯電話機番号と第１個人設定情報とを、通信部１５を介して、ＴＶ放送受信機３に送信する（ステップＳ４）。
【００６２】
ステップＳ４で送信された携帯電話機番号と第１個人設定情報とを、ＴＶ放送受信機３の通信部３５が受信すると（ステップＳ５）、ＴＶ放送受信機３のＣＰＵ３６１は、抽出プログラム３６３ｂ２を実行して、当該受信された携帯電話機番号に対応する第２個人設定情報を、第２個人設定情報データテーブル３６３ａ１から抽出する（ステップＳ６）。
【００６３】
次いで、ＣＰＵ３６１は、第２更新プログラム３６３ｂ３を実行して、ステップＳ５で受信された第１個人設定情報中の設定内容の設定時間と、ステップＳ６で抽出された第２個人設定情報中の設定内容の設定時間と、を比較して、第２個人設定情報に含まれる設定内容が後に設定された設定内容（すなわち、最新の設定内容）となるように、第１個人設定情報と第２個人設定情報とをマージして、第２個人設定情報を更新し（ステップＳ７）、本処理を終了する。
【００６４】
以上説明した本発明の個人設定情報共有システムＳによれば、ＴＶ放送受信機能を有する携帯電話機１と、携帯電話機１とネットワークＮを介して接続されたＴＶ放送受信機３と、を備え、携帯電話機１及びＴＶ放送受信機３にて個人設定情報を共有するようになっており、携帯電話機１は、第１個人設定情報データテーブル１６３ａ１によって、個人を識別するための携帯電話機番号と、チャンネルの設定に関する設定内容と当該設定内容を設定した設定時間とを含む第１個人設定情報を記憶することができ、通信部１５によって、ＴＶ放送受信機３から、第１個人設定情報の送信要求を受信することができ、通信部１５及び送信制御プログラム１６３ｂ１を実行したＣＰＵ１６１によって、通信部１５により第１個人設定情報の送信要求が受信された際に、第１個人設定情報データテーブル１６３ａ１に記憶された携帯電話機番号と第１個人設定情報とを、ＴＶ放送受信機３に送信することができ、ＴＶ放送受信機３は、第２個人設定情報データテーブル３６３ａ１によって、個人を識別するための携帯電話機番号毎に、設定内容と当該設定内容を設定した設定時間とを含む第２個人設定情報を記憶することができ、通信部３５及び要求プログラム３６３ｂ１を実行したＣＰＵ３６１によって、ＴＶ放送受信機３の電源がＯＮされた際に、携帯電話機１に第１個人設定情報を送信するよう要求することができ、通信部３５によって、携帯電話機１（通信部１５及び送信制御プログラム１６３ｂ１を実行したＣＰＵ１６１）により送信された携帯電話機番号と第１個人設定情報とを受信することができ、抽出プログラム３６３ｂ２を実行したＣＰＵ３６１によって、通信部３５により受信された携帯電話機番号に対応する第２個人設定情報を、第２個人設定情報データテーブル３６３ａ１から抽出することができ、第２更新プログラム３６３ｂ３を実行したＣＰＵ３６１によって、通信部３５により受信された第１個人設定情報中の設定内容の設定時間と、抽出プログラム３６３ｂ２を実行したＣＰＵ３６１により抽出された第２個人設定情報中の設定内容の設定時間と、を比較して、第２個人設定情報に含まれる設定内容が後に設定された設定内容（すなわち、最新の設定内容）となるように、当該第１個人設定情報と、当該第２個人設定情報と、をマージして第２個人設定情報を更新することができる。
【００６５】
すなわち、ＴＶ放送受信機３の電源がＯＮされると、自動的に、ＴＶ放送受信機３は、携帯電話機１から送信された第１個人設定情報と、ＴＶ放送受信機３に設定された第２個人設定情報と、に基づいて、最新の個人設定情報を設定することができるため、最新の個人設定情報の設定を、簡易化することができる。
また、例えば、不意にＴＶ放送受信機３の電源がＯＦＦし、その後、復旧してＴＶ放送受信機３の電源がＯＮされると、自動的に、ＴＶ放送受信機３に最新の個人設定情報が設定されるため、利便性が高い。
また、第１個人設定情報及び第２個人設定情報に含まれる設定内容は、チャンネルの設定に関する内容を含むため、携帯電話機１とＴＶ放送受信機３との間で当該チャンネルの設定に関する内容を供給することができることとなって、使い勝手がよい。
【００６６】
なお、本発明は、上記した実施の形態のものに限るものではなく、その要旨を逸脱しない範囲で適宜変更可能である。
電子機器は、携帯電話機、ＴＶ放送受信機以外に、各種録画装置（例えば、ＤＶＤレコーダ、ＨＤＤレコーダ、ＶＣＲなど）、パーソナルコンピュータなど、ネットワーク接続可能な電子機器であれば、どのようなものであってもよい。
【００６７】
ＴＶ放送受信機３が、携帯電話機１に第１個人設定情報を送信するよう要求して、第２個人設定情報を更新するようにしたが、例えば、携帯電話機１が、ＴＶ放送受信機３に第２個人設定情報を送信するように要求して、第１個人設定情報を更新するようにしてもよい。
【００６８】
携帯電話機１とＴＶ放送受信機３との間で個人設定情報を共有するだけでなく、例えば、ネットワークＮを介して接続された、家ｈに設置されたＴＶ放送受信機３，３同士の間で個人設定情報を共有するようにしてもよい。
【００６９】
第１個人設定情報や第２個人設定情報に含まれるチャンネルの設定に関する設定内容は、お好みチャンネルの登録・削除だけでなく、例えば、録画予約設定の登録・削除等でもよい。
第１個人設定情報や第２個人設定情報に含まれる設定内容は、チャンネルの設定に関する内容だけでなく、例えば、オートスキャンしたアンテナの種類とオートスキャンした時間や、削除した録画済み番組と削除した時間などでもよく、任意である。
【００７０】
ＴＶ放送受信機３は、電源がＯＮされた際に第１個人設定情報を送信するよう要求するだけでなく、例えば、ユーザによる操作部３４の操作によって指示された際に要求してもよい。
【図面の簡単な説明】
【００７１】
【図１】本発明にかかる個人設定情報共有システムの全体構成を示す図である。
【図２】本発明にかかる個人設定情報共有システムの機能的構成を示す図である。
【図３】図２に示す第１個人設定情報データテーブルのデータ構造を示す図である。
【図４】図２に示す第２個人設定情報データテーブルのデータ構造を示す図である。
【図５】図４に示す第２個人設定情報データテーブルの更新後のデータ構造を示す図である。
【図６】本発明にかかる個人設定情報共有システムによる個人設定情報の共有に関する処理について説明するためのフローチャートである。
【符号の説明】
【００７２】
１  携帯電話機
１５  通信部（送信要求受信手段、第１個人設定情報送信手段）
１６１  ＣＰＵ（第１個人設定情報送信手段）
１６３ａ１  第１個人設定情報データテーブル（第１記憶手段）
１６３ｂ１  送信制御プログラム（第１個人設定情報送信手段）
３  ＴＶ放送受信機（テレビジョン放送受信機）
３５  通信部（要求手段、第１個人設定情報受信手段）
３６１  ＣＰＵ（要求手段、抽出手段、更新手段）
３６３ａ１  第２個人設定情報データテーブル（第２記憶手段）
３６３ｂ１  要求プログラム（要求手段）
３６３ｂ２  抽出プログラム（抽出手段）
３６３ｂ３  第２更新プログラム（更新手段）
Ｎ  ネットワーク
Ｓ  個人設定情報共有システム
【図１】
2007288340.tif 000003
【図２】
2007288340.tif 000004
【図３】
2007288340.tif 000005
【図４】
2007288340.tif 000006
【図５】
2007288340.tif 000007
【図６】
2007288340.tif 000008